(57)【要約】【課題】  全体の消費電力をを抑制しながら、高速プリント処理を行うことができ、ユーザの利便性の向上を図るとことができる画像形成装置等を提供する。【解決手段】  異なる速度のプリント処理モードのうち何れのモードが選択されたかを判断する処理モード判断手段１２７と、判断結果から、高速度のプリント処理モードが選択された場合には、プリント処理を行うためのクロック周波数を上昇させる一方、プリント処理に関与していない構成部分４、３１、１２９に対する電力供給を遮断する制御手段１２３を備えている。【選択図】    図５
2006289917.tif 000002
【特許請求の範囲】
【請求項１】
異なる速度のプリント処理モードのうち何れのモードが選択されたかを判断する処理モード判断手段と、
前記処理モード判断手段による判断結果から、高速度のプリント処理モードが選択された場合には、プリント処理を行うためのクロック周波数を上昇させる一方、プリント処理に関与していない少なくとも一部の構成部分に対する電力供給を遮断する制御手段と、
を備えたことを特徴とする画像形成装置。
【請求項２】
原稿画像を読み取るための画像読み取り部を備え、
前記制御手段は、高速度のプリント処理モードが選択された場合には、プリントデータをＲＩＰ展開処理するためのクロック周波数を上昇させ、前記画像読み取り部に対する電力供給を遮断する請求項１に記載の画像形成装置。
【請求項３】
前記制御手段は、高速度のプリント処理モードが選択された場合には、プリントデータをＲＩＰ展開処理するためのクロック周波数を上昇させ、定着部への電力供給を遮断する請求項１に記載の画像形成装置。
【請求項４】
画像読み取り部により読み取った画像データを処理する読み取り画像処理部を備え、
前記制御手段は、高速度のプリント処理モードが選択された場合には、プリントデータをＲＩＰ展開処理するためのクロック周波数を上昇させ、前記読み取り画像処理部へのクロック周波数の供給を遮断する請求項１に記載の画像形成装置。
【請求項５】
前記制御手段は、前記クロック周波数の上昇及び電力供給の遮断制御を、ジョブの切り替えタイミングで実行する請求項１に記載の画像形成装置。
【請求項６】
異なる速度のプリント処理モードのうち何れのモードが選択されたかを判断するステップと、
前記判断結果から、高速度のプリント処理モードが選択された場合には、プリント処理を行うためのクロック周波数を上昇させ、プリント処理に関与していない少なくとも一部の構成部分に対する電力供給を遮断する制御ステップと、
を含むことを特徴とする画像形成装置におけるプリント処理方法。
【請求項７】
前記制御ステップでは、高速度のプリント処理モードが選択された場合には、プリントデータをＲＩＰ展開処理するためのクロック周波数を上昇させ、原稿画像を読み取るための画像読み取り部に対する電力供給を遮断する請求項６に記載の画像形成装置におけるプリント処理方法。
【請求項８】
前記制御ステップでは、高速度のプリント処理モードが選択された場合には、プリントデータをＲＩＰ展開処理するためのクロック周波数を上昇させ、定着部への電力供給を遮断する請求項６に記載の画像形成装置におけるプリント処理方法。
【請求項９】
前記制御ステップでは、高速度のプリント処理モードが選択された場合には、プリントデータをＲＩＰ展開処理するためのクロック周波数を上昇させ、画像読み取り部により読み取った画像データを処理する読み取り画像処理部へのクロック周波数の供給を遮断する請求項６に記載の画像形成装置におけるプリント処理方法。
【請求項１０】
前記制御ステップでは、前記クロック周波数の上昇及び電力供給の遮断制御を、ジョブの切り替えタイミングで実行する請求項６に記載の画像形成装置におけるプリント処理方法。
【発明の詳細な説明】
【技術分野】
【０００１】
この発明は、コピー／ＦＡＸ／プリンタなどの複数の機能を持ったＭＦＰ（Multi Function Peripherals) などの画像形成装置に関し、とくにプリント処理に関して通常プリント速度よりＲＩＰ（Raster Image Processor)展開処理等を早めることが可能な高速プリント処理速度モード（ハイパーフォーマンスモード）を有する画像形成装置に関する。
【背景技術】
【０００２】
従来より、ＭＦＰのような画像形成装置においては、省電力の観点から様々な取り組みが行われている。
【０００３】
その一つとして、ユーザのプリント速度の変更指示により、転写用紙搬送系などの各部のモータの回転速度の変更を行うとともに、指示されたプリント速度に応じた適切な定着温度や加熱温度となるように定着器を制御して騒音の低減化や最大電力の低減化を図るようにした技術が知られている（例えば、特許文献１）。
【０００４】
また、省エネモード中などのプリント処理速度が要求されないプリントジョブにおいて、クロック周波数周波数を低くして駆動電流を低減した状態でプリント制御することにより、消費電力を節約するものが提案されている（例えば、特許文献２）。
【特許文献１】特開２０００−２９６９４０号公報
【特許文献２】特開２００２−８６８４４号公報
【発明の開示】
【発明が解決しようとする課題】
【０００５】
ところが、上記したような従来の画像形成装置において、プリント速度の高速化を図ることを目的として、ＲＩＰ展開用のハードウェアのクロック周波数周波数を上げたりすると、ＣＰＵやメモリなどの半導体の消費電力が増大し、システム全体の許容消費電力（通常は商用電源１コンセントが許容上限）が達成できなくなりつつある。
【０００６】
また、消費電力の節約を目的とした画像形成装置においては、電力削減を達成するために、プリント速度を犠牲にしなければならず、その結果、ユーザの利便性が損なわれることになる。
【０００７】
この発明は、上記実情に鑑みてなされたものであり、全体の消費電力の増大を抑制しながら、高速プリント処理を行うことができ、ユーザの利便性の向上を図るとことができる画像形成装置、及び該装置におけるプリント処理方法を提供することを課題としている。
【課題を解決するための手段】
【０００８】
上記課題は、以下の手段によって解決される。
（１）異なる速度のプリント処理モードのうち何れのモードが選択されたかを判断する処理モード判断手段と、前記処理モード判断手段による判断結果から、高速度のプリント処理モードが選択された場合には、プリント処理を行うためのクロック周波数を上昇させる一方、プリント処理に関与していない少なくとも一部の構成部分に対する電力供給を遮断する制御手段と、を備えたことを特徴とする画像形成装置。
（２）原稿画像を読み取るための画像読み取り部を備え、前記制御手段は、高速度のプリント処理モードが選択された場合には、プリントデータをＲＩＰ展開処理するためのクロック周波数を上昇させ、前記画像読み取り部に対する電力供給を遮断する前項１に記載の画像形成装置。
（３）前記制御手段は、高速度のプリント処理モードが選択された場合には、プリントデータをＲＩＰ展開処理するためのクロック周波数を上昇させ、定着部への電力供給を遮断する前項１に記載の画像形成装置。
（４）画像読み取り部により読み取った画像データを処理する読み取り画像処理部を備え、前記制御手段は、高速度のプリント処理モードが選択された場合には、プリントデータをＲＩＰ展開処理するためのクロック周波数を上昇させ、前記読み取り画像処理部へのクロック周波数の供給を遮断する前項１に記載の画像形成装置。
（５）前記制御手段は、前記クロック周波数の上昇及び電力供給の遮断制御を、ジョブの切り替えタイミングで実行する前項１に記載の画像形成装置。
（６）異なる速度のプリント処理モードのうち何れのモードが選択されたかを判断するステップと、前記判断結果から、高速度のプリント処理モードが選択された場合には、プリント処理を行うためのクロック周波数を上昇させ、プリント処理に関与していない少なくとも一部の構成部分に対する電力供給を遮断する制御ステップと、を含むことを特徴とする画像形成装置におけるプリント処理方法。
（７）前記制御ステップでは、高速度のプリント処理モードが選択された場合には、プリントデータをＲＩＰ展開処理するためのクロック周波数を上昇させ、原稿画像を読み取るための画像読み取り部に対する電力供給を遮断する前項６に記載の画像形成装置におけるプリント処理方法。
（８）前記制御ステップでは、高速度のプリント処理モードが選択された場合には、プリントデータをＲＩＰ展開処理するためのクロック周波数を上昇させ、定着部への電力供給を遮断する前項６に記載の画像形成装置におけるプリント処理方法。
（９）前記制御ステップでは、高速度のプリント処理モードが選択された場合には、プリントデータをＲＩＰ展開処理するためのクロック周波数を上昇させ、画像読み取り部により読み取った画像データを処理する読み取り画像処理部へのクロック周波数の供給を遮断する前項６に記載の画像形成装置におけるプリント処理方法。
（１０）前記制御ステップでは、前記クロック周波数の上昇及び電力供給の遮断制御を、ジョブの切り替えタイミングで実行する前項６に記載の画像形成装置におけるプリント処理方法。
【発明の効果】
【０００９】
前項（１）に記載の発明によれば、ユーザの指示により高速プリント処理モードが選択された場合、プリント処理を行うためのクロック周波数を上昇させ、プリント処理に関与していない少なくとも一部の構成部分に対する電力供給を遮断するように制御される。従って、画像形成装置全体の消費電力の増大を抑制しながら、前記高速プリント処理を実現でき、ユーザの利便性を確保できる。
【００１０】
前項（２）に記載の発明によれば、高速プリント処理モードが選択された場合には、プリントデータをＲＩＰ展開処理するためのクロック周波数を上昇させるとともに、画像読み取り部への電力供給を遮断することにより、プリントデータのＲＩＰ展開処理に電力を集中させることができるから、画像形成装置全体の消費電力の増大を抑制しながら、プリントの高速処理を実現することができる。
【００１１】
前項（３）に記載の発明によれば、高速プリント処理モードが選択された場合には、プリントデータをＲＩＰ展開処理するためのクロック周波数を上昇させるとともに、定着部への電力供給を遮断することにより、プリントデータのＲＩＰ展開処理に電力を集中させることができるから、画像形成装置全体の消費電力の増大を抑制しながら、プリントの高速処理を実現することができる。
【００１２】
前項（４）に記載の発明によれば、高速プリント処理モードが選択された場合には、プリントデータをＲＩＰ展開処理するためのクロック周波数を上昇させるとともに、読み取り画像処理部へのクロック周波数の供給を遮断することにより、プリントデータのＲＩＰ展開処理に電力を集中させることができるから、画像形成装置全体の消費電力の増大を抑制しながら、プリントの高速処理を実現することができる。
【００１３】
前項（５）に記載の発明によれば、前記クロック周波数の上昇及び電力供給の遮断制御が、ジョブの切り替えタイミングで実行されるから、ジョブ実行を支障なく行うことができる。
【００１４】
前項（６）に記載の発明によれば、ユーザの指示により高速プリント処理モードが選択された場合、プリント処理を行うためのクロック周波数を上昇させ、プリント処理に関与していない少なくとも一部の構成部分に対する電力供給を遮断するように制御されるから、画像形成装置全体の消費電力の増大を抑制しながら、前記高速プリント処理を実現でき、ユーザの利便性を確保できる。
【００１５】
前項（７）に記載の発明によれば、高速プリント処理モードが選択された場合には、プリントデータをＲＩＰ展開処理するためのクロック周波数を上昇させるとともに、画像読み取り部への電力供給を遮断することにより、プリントデータのＲＩＰ展開処理に電力を集中させることができるから、画像形成装置全体の消費電力の増大を抑制しながら、プリントの高速処理を実現することができる。
【００１６】
前項（８）に記載の発明によれば、高速プリント処理モードが選択された場合には、プリントデータをＲＩＰ展開処理するためのクロック周波数を上昇させるとともに、定着部への電力供給を遮断することにより、プリントデータのＲＩＰ展開処理に電力を集中させることができるから、画像形成装置全体の消費電力の増大を抑制しながら、プリントの高速処理を実現することができる。
【００１７】
前項（９）に記載の発明によれば、高速プリント処理モードが選択された場合には、プリントデータをＲＩＰ展開処理するためのクロック周波数を上昇させるとともに、読み取り画像処理部へのクロック周波数の供給を遮断することにより、プリントデータのＲＩＰ展開処理に電力を集中させることができるから、画像形成装置全体の消費電力の増大を抑制しながら、プリントの高速処理を実現することができる。
【００１８】
前項（１０）に記載の発明によれば、前記クロック周波数の上昇及び電力供給の遮断制御が、ジョブの切り替えタイミングで実行されるから、ジョブ実行を支障なく行うことができる。
【発明を実施するための最良の形態】
【００１９】
以下、この発明の一実施形態を図面に基づいて説明する。
【００２０】
図１および図２は、それぞれこの発明の一実施形態に係る画像形成装置としてのタンデム形デジタルカラープリンタおよびタンデム形デジタルカラー複写機を示す概略断面図である。
【００２１】
図１および図２において、符号１は、前記デジタルカラープリンタおよびデジタルカラー複写機の本体を示すものであり、前記デジタルカラー複写機の場合には、図２に示すように、本体１の上部に、原稿２を一枚ずつ分離した状態で自動的に搬送する自動原稿搬送装置（ＡＤＦ）３と、該自動原稿搬送装置３によって搬送される原稿２の画像を読み取る画像読み取り部４が配設されている。
【００２２】
この画像読み取り部４は、プラテンガラス５上に載置された原稿２を光源６によって照光し、原稿２からの反射光像を、フルレートミラー７、ハーフミラー８，９および結合レンズ１０からなる縮小光学系を介して、ＣＣＤなどからなる画像読み取り素子１１上に走査露光して、この画像読み取り素子１１によって原稿２の色材反射光像を所定のドット密度（例えば、１６ドット／ｍｍ）で読み取るようになっている。
【００２３】
上記画像読み取り部４によって読み取られた原稿２の色材反射光像は、例えば赤（Ｒ）、緑（Ｇ）、青（Ｂ）（各８ビット）の３色の原稿反射率データとして画像処理部１２に送られる。この画像処理部１２では、原稿２の反射率データに対して、シェーディング補正、位置ずれ補正、明度／色空間交換、ガンマ補正、枠消し、色／移動編集などの所定の画像処理が施される。
【００２４】
また、画像処理部１２は、パーソナルコンピュータ（図３）ＰＣ・・・などから送られてくる画像データに対しても、所定の画像処理を行うようになっている。
【００２５】
そして、上記のように画像処理部１２で所定の画像処理が施された画像データは、同じく画像処理部１２により、イエロー（Ｙ）、マゼンタ（Ｍ）、シアン（Ｃ）、ブラック（Ｋ）（各８ビット）の４色の原稿再現色材階調データに変換され、ついで、イエロー（Ｙ）、マゼンタ（Ｍ）、シアン（Ｃ）、ブラック（Ｋ）の各色画像形成ユニット１３Ｙ、１３Ｍ、１３Ｃ、１３Ｋの画像露光装置としてのプリントヘッド部１４に送られる。
【００２６】
プリントヘッド部１４では、所定の色の原稿再現色材階調データに応じてレーザビームＬＢによる画像露光が行われる。
【００２７】
ところで、上記タンデム形のデジタルカラープリンタおよび複写機の各本体１内には、イエロー（Ｙ）、マゼンタ（Ｍ）、シアン（Ｃ）、ブラック（Ｋ）の４つの画像形成ユニット１３Ｙ、１３Ｍ、１３Ｃ、１３Ｋが水平方向へ一定の間隔をおいて並列的に配置されている。
【００２８】
これら４つの画像形成ユニット１３Ｙ、１３Ｍ、１３Ｃ、１３Ｋは、すべて同じ構造であり、大別して、所定の回転速度で回転駆動される像担持体としての感光体ドラム１５と、この感光体ドラム１５の表面を一様に帯電する一次帯電用の帯電ロール（図示せず）と、当該感光体ドラム１５の表面に所定の色に対応した画像を露光して静電潜像を形成する画像露光装置としてのプリントヘッド部１４と、感光体ドラム１５上に形成された静電潜像を所定の色のトナーで現像する現像器１７と、感光体ドラム１５の表面を清掃するクリーニング装置１８とから構成されている。
【００２９】
上記プリントヘッド部１４は、４つの画像形成ユニット１３Ｙ、１３Ｍ、１３Ｃ、１３Ｋに共通した構成となっており、図示しない４つの半導体レーザを各色の原稿再現色材階調データに応じて変調して、これら半導体レーザからレーザビームＬＢ−Ｙ、ＬＢ−Ｍ、ＬＢ−Ｃ、ＬＢ−Ｋを階調データに応じて出射するように構成されている。なお、上記プリントヘッド部１４は、複数の画像形成ユニット１３Ｙ、１３Ｍ、１３Ｃ、１３Ｋ毎に個別に構成してもよい。
【００３０】
上記４つの半導体レーザから出射された各レーザビームＬＢ−Ｙ、ＬＢ−Ｍ、ＬＢ−Ｃ、ＬＢ−Ｋは、１つの回転多面鏡１９で反射され、この回転多面鏡１９によって偏向走査される。その際、４つの半導体レーザから出射された各レーザビームＬＢ−Ｙ、ＬＢ−Ｍ、ＬＢ−Ｃ、ＬＢ−Ｋのうち、レーザビームＬＢ−ＹおよびＬＢ−Ｍは、回転多面鏡１９の一方の側面に照射され、他のレーザビームＬＢ−ＣおよびＬＢ−Ｋは、回転多面鏡１９の反対の側面に照射され、この回転多面鏡１９によって偏向走査される。その結果、レーザビームＬＢ−ＹおよびＬＢ−Ｍと、レーザビームＬＢ−ＣおよびＬＢ−Ｋとでは、回転多面鏡１９によって偏向走査される方向が逆方向となる。
【００３１】
上記回転多面鏡１９によって偏向走査されたレーザビームＬＢ−Ｙ、ＬＢ−Ｍ、ＬＢ−ＣおよびＬＢ−Ｋは、図示しないｆ−θレンズを介して、複数の反射ミラー２０１〜２０３によって反射され、各画像形成ユニット１３Ｙ、１３Ｍ、１３Ｃ、１３Ｋの各感光体ドラム１５上に、ウィンドウ２１を通して斜め下方から走査露光される。
【００３２】
上記画像処理部１２からは、イエロー（Ｙ）、マゼンタ（Ｍ）、シアン（Ｃ）、ブラック（Ｋ）の各色の画像形成ユニット１３Ｙ、１３Ｍ、１３Ｃ、１３Ｋに共通して設けられたプリントヘッド部１４に、各色の画像データが順次出力される。
【００３３】
このプリントヘッド部１４から画像データに応じて出射されたレーザビームＬＢ−Ｙ、ＬＢ−Ｍ、ＬＢ−Ｃ、ＬＢ−Ｋは、対応する各感光体ドラム１５の表面に走査露光され、静電潜像が形成される。
【００３４】
この実施形態におけるプリントヘッド部１４の場合、図１及び図２に示すように、図示しない４つの半導体レーザから出射された４本のレーザビームＬＢ−Ｙ、ＬＢ−Ｍ、ＬＢ−Ｃ、ＬＢ−Ｋを２つの画像形成ユニット１３Ｙ、１３Ｍと、他の２つの画像形成ユニット１３Ｃ、１３Ｋとで、回転多面鏡１９の反対側に位置する面に照射して偏向走査するものであるため、回転多面鏡１９の片側に位置する面で偏向走査されるレーザビームＬＢ−ＹおよびＬＢ−Ｍと、回転多面鏡１９の反対側に位置する面で偏向走査されるレーザビムＬＢ−ＣおよびＬＢ−Ｋとでは、感光体ドラム１５上に走査露光されるレーザビームの走査方向が互いに反対方向となる。
【００３５】
そして、前記感光体ドラム１５上に形成された静電潜像は、図１および図２に示すように、現像器１７によってそれぞれイエロー（Ｙ）、マゼンタ（Ｍ）、シアン（Ｃ）、ブラック（Ｋ）の各色トナー像として現像される。
【００３６】
上記各画像形成ユニット１３Ｙ、１３Ｍ、１３Ｃ、１３Ｋの感光体ドラム１５上に、順次形成されたイエロー（Ｙ）、マゼンタ（Ｍ）、シアン（Ｃ）、ブラック（Ｋ）の各色のトナー像は、各画像形成ユニット１３Ｙ、１３Ｍ、１３Ｃ、１３Ｋの上方にわたって配置された中間転写ベルトユニット２２の中間転写ベルト２５上に、一次転写ロール２６によって多重に転写される。
【００３７】
この中間転写ベルト２５は、ドライブロール２７と、バックアップロール２８と、テンションロール２４との間に一定のテンションで掛け回されており、図示しない定速性に優れた専用の駆動モータによって回転駆動されるドライブロール２７により、所定方向へ所定速度で循環駆動されるようになっている。
【００３８】
前記中間転写ベルト２５としては、例えば可撓性を有するポリイミドなどの合成樹脂フィルムを帯状に形成し、この帯状の合成樹脂フィルムの両端を溶着などの手段によって接続することにより、無端ベルト状に形成したものが用いられる。
【００３９】
この中間転写ベルト２５上に多重に転写されたイエロー（Ｙ）、マゼンタ（Ｍ）、シアン（Ｃ）、ブラック（Ｋ）の各色トナー像は、バックアップロール２８に圧接する二次転写ロール２９によって、圧接力および静電気力で転写材としての転写用紙３０上二次転写される。これら各色のトナー像が転写された転写用紙３０は、上方に位置する定着器３１へと搬送される。
【００４０】
上記二次転写ロール２９は、バックアップロール２８の側方に位置しており、下方から上方へ向けて搬送される転写用紙３０上に、各色のトナー像を一括して二次転写するようになっている。
【００４１】
そして、上記各色のトナー像が転写された転写用紙３０は、定着器３１によって熱および圧力で定着処理を受けた後、排出ロール３２によって本体１の上部に設けられた排出トレイ３３上に排出される。
【００４２】
上記転写用紙３０は、給紙カセット３４から所定のサイズのものが、給紙ロール３５および用紙分離搬送用の一対のロール３６，３６により用紙搬送路３７を通ってレジストロール３８まで一旦搬送されて停止される。
【００４３】
前記給紙カセット３４から供給された転写用紙３０は、所定のタイミングで回転するレジストロール３８によって中間転写ベルト２５の二次転写位置に送出される。
【００４４】
なお、上記デジタルカラープリンタおよびカラー複写機において、フルカラーなどの両面コピーをとる場合には、片面に画像が定着された転写用紙３０を、排出ロール３２によって排出トレイ３３上にそのまま排出せずに、図示しない切り替えゲートによって搬送方向を切り替え、用紙搬送用の一対のロール３９，３９を介して両面用搬送ユニット４０側へ搬送する。
【００４５】
そして、この両面用搬送ユニット４０では、搬送経路４１に沿って設けられた図示しない一対の搬送ロールにより、転写用紙３０の表裏が反転された状態で、再度レジストロール３８へと搬送され、今度は、該転写用紙３０の裏面に画像が転写・定着され、この後、排出トレイ３３上に排出される。
【００４６】
なお、図１および図２中、４４Ｙ、４４Ｍ、４４Ｃ、４４Ｋは、イエロー（Ｙ）、マゼンタ（Ｍ）、シアン（Ｃ）、ブラック（Ｋ）の各色現像器１７に、所定の色のトナーを供給するトナーカートリッジをそれぞれ示している。
【００４７】
図３は、この発明の一実施形態に係る画像形成装置の要部の構成を示す機能ブロック図である。
【００４８】
この実施形態では、ＬＡＮなどでネットワーク接続された複合機能を有するカラー複写機を例に説明するが、図３において、画像読み取り部４を除けば、プリンタとしてとらえることができる。
【００４９】
図３において、画像形成装置Ａは、ＬＡＮを介して複数のホストコンピュータＰＣ・・・に接続されている。
【００５０】
装置本体１は、画像データの入出力操作および各種機能の設定操作を行うための操作パネル５１を備えており、操作パネル５１は、各種機能の設定表示などを行うためのＬＣＤ表示部（図示せず）を有している。
【００５１】
前記画像読み取り部４からの読み取り画像データは、全体制御を行う画像処理部１２に入力されて、ＪＢＩＧなどの既知の圧縮画像データとして一時的もしくは恒久的に保管するためのハードディスク装置（ＨＤＤという）５２に格納される。
【００５２】
一旦、格納された圧縮画像データは、ＨＤＤ５２から読み出されて伸張され、所定のエッジ強調／スムージング／階調再現などの画像処理が施されたのちプリントエンジンのレーザ発光に同期したタイミングでプリントヘッド部１４に送られる。
【００５３】
一方、前記画像処理部１２内のネットワークコントローラ（図示せず）は、ＬＡＮコネクタを介してＬＡＮ接続されているホストコンピュータＰＣと所定の制御動作を行い、プリントデータ／読み取り画像データの受け渡しを行う。
【００５４】
ホストコンピュータＰＣから転送されたＰＤＬ（Page Description Language)データは、後述する画像処理部１２のメイン制御用ＣＰＵ１２３によってラスターデータに展開処理（ＲＩＰ展開処理）されてから、読み取り画像データ同様に、圧縮画像データとしてＨＤＤ５２に格納される。
【００５５】
そして、再度読み出し／伸張処理されて、所定の画像処理を施された後、プリントエンジンに送られる。
【００５６】
また、前記画像処理部１２は、装置全体の電力を制御する機能を有している。電源スイッチ（図示せず）のＯＮを検出すると、駆動系のＤＣ２４Ｖや各種オプンション系の電源系統のリレーを制御して装置全体を起動し、同時に、定着器３１のＡＣ電力を印加し、装置全体のウオームアップ動作を行う。
【００５７】
通常は操作パネル５１やホストコンピュータＰＣからの指示によって受け付けられるジョブを即座にプリント出力するために、ある一定以上の定着温度となるように絶えず定着器３１への電力供給制御を行っている。
【００５８】
ところで、電力消費の多くは、前記定着器３１によって消費されている。この実施形態では、このような多大な不要電力消費を抑制するために省電力モードを備えている。
【００５９】
この省電力モードは、通常の待機状態で電力供給している定着器３１および駆動系のＤＣ２４Ｖの電力供給を遮断し、加えて制御回路の不要な回路ブロック（駆動系制御回路）の電力遮断（クロック周波数の供給停止を含む）を実施している。
【００６０】
このような省電力モードを備えることにより、最大１５００ｗ程度の電力消費する状態から、省電力モード移行タイマによって装置に対する操作およびネットワークジョブの受け付けがなされないまま所定時間が経過すると、１００ｗ以下の省電力モードに移行する。
【００６１】
このようにして省電力モードを実現し、機器および機器が設置されるオフィス環境の省電力に貢献している。なお、画像処理部１２で装置全体の電力制御を行わない場合は、画像処理部１２のメイン制御用ＣＰＵ１２３とシリアル通信接続されたプリントエンジンのメカニカル制御用ＣＰＵ（図示せず）で制御させたり、これと連携して省電力モードの制御を行うこともある。
【００６２】
図４は、前記画像処理部１２の電気的構成を示すブロック図である。
【００６３】
図４において、メイン制御用ＣＰＵ１２３は、画像処理部１２の制御を行うとともに、装置全体のシステム制御を行うものであり、ＲＯＭ１２４およびＲＡＭ１２５が接続されている。
【００６４】
この実施形態の画像処理部１２は、ホストコンピュータＰＣから送信されたプリントデータをプリントする動作において、前記ホストコンピュータＰＣから送信されたＰＤＬ画像データをＰＨＹ（Physical layer) インターフェース１２６を介して入力し、メイン制御用ＣＰＵ１２３によりＲＩＰ展開処理を行ってから、ＲＡＭ１２５にラスターデータとして一旦格納する。なお、ホストコンピュータＰＣから送信されたプリントデータをプリントすることを、ＰＣプリントともいう。
【００６５】
そして、システム制御用ＡＳＩＣ（Application Specified IC) １２８により所定のＪＢＩＧ圧縮処理を行ってから、ＨＤＤ５２に格納する。また、ＨＤＤ５２に格納された圧縮画像データを読み出して伸張処理し、出力画像処理用ＡＳＩＣ１３０により、所定のエッジ強調／スムージング／階調再現などの画像処理が施され、ビデオデータとしてプリントヘッド部１４に送られる。
【００６６】
一方、前記画像処理部１２のコピー動作においては、画像読み取り部４により読み取られたＲＧＢ画像データは、入力画像処理用ＡＳＩＣ１２９により、イエロー（Ｙ）、マゼンタ（Ｍ）、シアン（Ｃ）、ブラック（Ｋ）の４色に色変換された後、システム制御用ＡＳＩＣ１２８により、所定のＪＢＩＧ圧縮処理を行い、前記ＨＤＤ５２に格納される。
【００６７】
なお、ＨＤＤ５２に格納された圧縮画像データを読み出した後の動作や処理は、ＰＣプリントと同じであるから説明を省略する。
【００６８】
なお、サブ制御用ＣＰＵ１２７は、主に転写用紙３０の搬送などのメカニカルな駆動系を制御するものであり、メイン制御用ＣＰＵ１２３のクロック周波数（以下、単にクロックともいう）の設定や各部電力制御を行って、メイン制御用ＣＰＵ１２３とは、シリアル通信でコマンドのやり取りを行いながら協調してプリント動作の制御を行っている。
【００６９】
この実施形態では、サブ制御用ＣＰＵ１２７がメカニカルな駆動系を制御するＣＰＵを兼用する形態で説明したが、メイン制御用ＣＰＵ１２３の内部クロックの設定や各部電力制御を、専用の電力制御用サブＣＰＵで行うようにする場合もある。
【００７０】
ここで、前記メイン制御用ＣＰＵ１２３は、通常速度のプリント処理モードでは、例えば４００ＭＨｚのクロックで動作している。ＲＩＰ展開などで使用するＲＡＭ１２５は、例えば１３３ＭＨｚのクロックで動作するＤＤＲ−ＳＤＲＡＭを使用している。
【００７１】
この実施形態のＰＣプリント高速処理モード（ハイパフォーマンスモードともいう）は、前記メイン制御用ＣＰＵ１２３のクロックを、通常とは異なる例えば６００ＭＨｚとして動作させている。言うまでもなく、メイン制御用ＣＰＵ１２３のスペックは、クロック６００ＭＨｚでの動作が可能であるが、消費電力の抑制のため、さらにはシールドボックスで覆われた画像処理部１２の機内温度上昇の抑制のために、通常速度のプリント処理モードでは、４００ＭＨｚで動作している。
【００７２】
通常速度のプント処理モードと高速プリント処理モードでのメイン制御用ＣＰＵ１２３のコア消費電流は、ほぼクロックに比例している。つまり、通常速度のプリント処理モードの動作時では、消費電流が約２Ａ（ＤＣ５Ｖ換算）であり、これに対して高速プリント処理モードでの動作時では、通常速度のモードの場合の約１．５倍の３Ａ（ＤＣ５Ｖ換算）程度になる。
【００７３】
一部のＣＰＵ、例えばメイン制御用ＣＰＵ１２３では、内部クロックを上昇させることによってそのコア電圧も上昇させる必要がある。例えば通常４００ＭＨｚのクロックで動作させる場合、コア電圧が１．２５Ｖであるものが、６００ＭＨｚのクロックで動作させるためには、１．４７Ｖのコア電圧を必要とする。
【００７４】
この場合、メイン制御用ＣＰＵ１２３の消費電力は電圧の二乗で影響する。クロックの消費電流上昇分と併せて考えると、約２倍の消費電力に相当する。通常速度の処理モードでは、メイン制御用ＣＰＵ１２３の消費電力が２．５Ｗであるが、高速プリント処理モードでは、メイン制御用ＣＰＵ１２３の消費電力が５Ｗ程度に上昇する。
【００７５】
その他に、周辺メモリのＲＯＭ１２４やＲＡＭ１２５などの稼動率が増すことにより、消費電力がさらに増大し、画像処理部１２の全体を考えると、通常速度の処理モードで２０Ｗ程度の消費電力が、４０Ｗ程度に増大する。これらは２次側電力での試算であるが、装置全体のスイッチング電源の１次−２次変換効率を考慮すると、さらに増大することは言うまでもない。
【００７６】
これらの高速プリント処理モードを実現するための消費電力の増大分を、画像形成装置全体で抑制する必要がある。
【００７７】
この実施形態の画像形成装置Ａにおいて、図２に示すタンデム型のデジタルカラー複写機の場合は、ＰＣプリント動作において、スキャナなどの画像読み取り部４は動作させる必要がない。また、同様に前記画像処理部１２における入力画像処理用ＡＳＩＣ１２９も、同様に動作させる必要がない。
【００７８】
しかしながら、従来では、スキャナなどの画像読み取り部４や入力画像処理用ＡＳＩＣ１２９のブロックが待機状態であっても、通電状態であり、少なからず電力を消費している。
【００７９】
この点について、この実施の形態では、高速プリント処理モードに移行するにあたり、動作不要な画像読み取り部４や入力画像処理用ＡＳＩＣ１２９への供給電力を遮断する制御を行うことにより、全体の消費電力の抑制を図るように構成してある。
【００８０】
スキャナなどの画像読み取り部４は、制御系のＤＣ５Ｖ電源と駆動系のＤＣ２４Ｖ電源をそれぞれ個別のリレーによりＯＮ／ＯＦＦ制御可能な構成となっており、入力画像処理用ＡＳＩＣ１２９は、画像処理部１２の一部として一体化されたプリント基板上にハードウェア回路を構成している。
【００８１】
しかし、主要ハードウェアである入力画像処理用ＡＳＩＣ１２９のシステムクロックは、ディセーブル可能な市販のゼロディレイクロックバッファで供給されており、高速プリント処理モードに移行するに先立って、上記各部の電力遮断制御を行う。これらの電力遮断制御は、前述のサブ制御用ＣＰＵ１２７のＩ／Ｏポート制御で実行する。
【００８２】
一方、図１に示すタンデム型のデジタルカラープリンタの場合は、複写機のような画像読み取り部４や入力画像処理用ＡＳＩＣ１２９が搭載されていないが、前述のＰＣプリント動作におけるＲＩＰ展開処理からＨＤＤ５２への蓄積動作までに装置全体の電力を集中させる。これは、例えば定着器３１への供給電力を遮断することによって達成できる。
【００８３】
これら各部の供給電力遮断制御によって、高速プリント処理動作におけるＣＰＵの内部クロックの上昇による消費電力の増大を十分に抑制でき、システム全体の消費電力を増大することなく、高速プリント処理モードでの高速処理を実現できる。
【００８４】
また、画像処理部１２におけるシールドボックスの機内温度上昇についても、前記入力画像処理用ＡＳＩＣ１２９や定着器３１への電力遮断制御によって通常モードと変わらない程度の機内温度上昇に抑えることができる。
【００８５】
次に、前記高速プリント処理モードへの移行動作時の全体制御処理を図５に示すフローチャートを参照して説明する。この処理は、メイン制御用ＣＰＵ１２３がＲＯＭ１２４等に格納されているプログラムに従って動作することにより実行される。
【００８６】
図５において、ユーザにより、前記操作パネル５１上の高速プリント処理モード選択スイッチ（図示せず）によりＰＣプリントの処理モード（通常／高速）が選択されると、ステップＳ１０１で、ＣＰＵ１２３はこれを受け付け、ステップＳ１０２で、選択されたモードは高速プリント処理モードか否かを判断する。
【００８７】
高速プリント処理モードが選択されていれば（ステップＳ１０２でＹＥＳ）、ステップＳ１０３では、高速プリント処理モードの制御を行ってから終了する。一方、通常処理モードが選択されていれば（ステップＳ１０２でＮＯ）、ステップＳ１０４では、動作周波数制御や電力遮断制御などを行うなうことなく、通常のＰＣプリント処理として実行してから終了する。
【００８８】
前記高速プリント処理モードの制御処理（ステップＳ１０３）のサブルーチンを図６のフローチャートを参照して説明する。
【００８９】
図６において、ステップＳ１０３１では、高速プリント処理モードへの移行を行い、ステップＳ１０３２では、実行中のジョブが無いか否かを判断し、実行中のジョブがあれば（ステップＳ１０３２でＮＯ）、なくなるまでステップＳ１０３２に待機する。実行中ジョブが無ければ（ステップＳ１０３２でＹＥＳ）、ステップＳ１０３３では、前述の各部に対する電力の遮断制御を実行する。
【００９０】
電力遮断の実行後、ステップＳ１０３４では、前記サブ制御用ＣＰＵ１２７により送出される高速プリント処理モード用のクロック設定データを受信し、ステップＳ１０３５では、前記クロック設定データに基づいてメイン制御用ＣＰＵ１２３の内部クロックを上昇させて、ＰＣプリントの高速のＲＩＰ展開処理を実行する。
【００９１】
ついで、ステップＳ１０３６では、高速のＲＩＰ展開処理モードのジョブが終了したか否かを判断する。高速のＲＩＰ展開処理モードのジョブが終了していなければ（ステップＳ１０３６でＮＯ）、終了するまで待つ。
【００９２】
高速のＲＩＰ展開処理モードのジョブが終了すれば（ステップＳ１０３６でＹＥＳ）、ステップＳ１０３７では、前記サブ制御用ＣＰＵ１２７により送出される通常速度のプリント処理モードのクロック設定データを受信し、ステップＳ１０３８では、電力遮断制御を復帰させるために、各部への電源供給や入力画像処理用ＡＳＩＣ１２９へのクロック供給を再開してからリターンする。
【００９３】
これらの高速プリント処理モード実行中において、特に複写機の場合は、ユーザに対してＰＣプリントの高速プリント処理モードである旨の表示を行う。例えば、操作パネル５１上のＬＣＤ表示部に「高速プリント処理モード動作中」などのメッセージを表示したり、ＬＥＤを点滅表示させる。これにより、ユーザは高速プリント処理モード動作中であることを認識することができる。
【００９４】
なお、この実施形態では、ＰＣプリントの高速プリント処理モード選択を操作パネル５１上の選択ＳＷで選択できるようにしたもので説明したが、ホストコンピュータＰＣ側から通常処理モードと高速処理モードを選択する構成であってもよい。
【００９５】
また、電力供給の遮断対象として、画像読み取り部４や入力画像処理用ＡＳＩＣ１２９、定着器３１を例示したが、これらに限定されることはなく、プリント処理に関与していない他の構成部分であっても良く、プリント処理に関与していない少なくとも一部の構成部分を電力供給の遮断対象とすれば良い。
【図面の簡単な説明】
【００９６】
【図１】この発明の一施形態に係る画像形成装置が適用されたタンデム形デジタルカラープリンタを示す概略断面図である。
【図２】この発明の一実施形態に係る画像形成装置が適用されたタンデム形デジタルカラー複写機を示す概略断面図である。
【図３】この発明の一実施形態に係る画像形成装置の要部の構成を示す機能ブロック図である。
【図４】画像処理部の電気的構成を示すブロック図である。
【図５】高速プリント処理モードへの移行動作時の制御処理を示すフローチャートである。
【図６】高速プリント処理モードの制御処理のサブルーチンを示すフローチャートである。
【符号の説明】
【００９７】
４              画像読み取り部
１２            画像処理部
３１            定着部
１２７          メイン制御用ＣＰＵ（判断手段、制御手段）
１２９          入力画像処理用ＡＳＩＣ
【図１】
2006289917.tif 000003
【図２】
2006289917.tif 000004
【図３】
2006289917.tif 000005
【図４】
2006289917.tif 000006
【図５】
2006289917.tif 000007
【図６】
2006289917.tif 000008